(57)【特許請求の範囲】
【請求項１】
液晶表示パネルと、前記液晶表示パネルに走査信号を送出する液晶表示パネル制御部と、前記液晶表示パネルの裏側に配置された光度が等しい複数の光源と、該複数の光源の点灯期間を制御して、前記複数の光源の光量の和の時間平均値を増減させる光源制御部とを備えた液晶表示装置において、
前記光源制御部は、それぞれ独立して前記複数の光源を点灯制御し、前記複数の光源のうちの少なくとも一つを間欠点灯させ、かつ、前記複数の光源のうちの少なくとも二つの光源を所定の期間だけ同時に点灯させ、かつ、前記複数の光源のいずれもが点灯しない期間が存在しないように構成したことを特徴とする液晶表示装置。
【請求項２】
光源制御部は、複数の光源のうちの少なくとも一つの光源を連続点灯させるとともに、残る光源のうちの少なくとも一つの光源を点灯期間が所定の期間となるように間欠点灯させるように構成したことを特徴とする請求項１に記載の液晶表示装置。
【請求項３】
光源制御部は、複数の光源の点灯時間を略同一とし、かつ、前記複数の光源を各々異なったタイミングで間欠点灯させ、かつ、前記複数の光源のうちの少なくとも二つの光源を所定の期間だけ同時に点灯させ、かつ、前記複数の光源のいずれもが点灯しない期間が存在しないように構成したことを特徴とする請求項１に記載の液晶表示装置。
【請求項４】
光源制御部は、複数の光源のうちの少なくとも一つの光源を点灯時間が周期的に変化するよう間欠点灯させ、かつ、前記複数の光源のうちの少なくとも二つの光源を所定の期間だけ同時に点灯させ、かつ、前記複数の光源のいずれもが点灯しない期間が存在しないように構成したことを特徴とする請求項１に記載の液晶表示装置。
【請求項５】
光源制御部は、複数の光源のうちの少なくとも二つの光源を間欠点灯させるとともに、該間欠点灯する少なくとも二つの光源の点灯周期をそれぞれ異ならせ、かつ、前記複数の光源のうちの少なくとも二つの光源を所定の期間だけ同時に点灯させ、かつ、前記複数の光源のいずれもが点灯しない期間が存在しないように構成したことを特徴とする請求項１に記載の液晶表示装置。
【請求項６】
複数の光源のうちの少なくとも一つの光源の間欠点灯を走査信号に同期させたことを特徴とする請求項１から請求項５のいずれか１項に記載の液晶表示装置。
【請求項７】
液晶表示パネルと、前記液晶表示パネルに走査信号を送出する液晶表示パネル制御部と、前記液晶表示パネルの裏側に配置された光度が等しい複数の光源と、該複数の光源の点灯期間を制御して、前記複数の光源の光量の和の時間平均値を増減させる光源制御部とを備えた液晶表示装置の光源点灯制御方法であって
前記光源制御部は、それぞれ独立して前記複数の光源を点灯制御し、前記複数の光源のうちの少なくとも一つを間欠点灯させ、かつ、前記複数の光源のうちの少なくとも二つの光源を所定の期間だけ同時に点灯させ、かつ、前記複数の光源のいずれもが点灯しない期間が存在しないようにすることを特徴とする液晶表示装置の光源点灯制御方法。
【請求項８】
複数の光源のうちの少なくとも一つの光源を連続点灯させるとともに、残る光源のうちの少なくとも一つの光源を点灯期間が所定の期間となるように間欠点灯させるようすることを特徴とする請求項７に記載の液晶表示装置の光源点灯制御方法。
【請求項９】
複数の光源の点灯時間を略同一とし、かつ、前記複数の光源を各々異なったタイミングで間欠点灯させ、かつ、前記複数の光源のうちの少なくとも二つの光源を所定の期間だけ同時に点灯させ、かつ、前記複数の光源のいずれもが点灯しない期間が存在しないようにすることを特徴とする請求項７に記載の液晶表示装置の光源点灯制御方法。
【請求項１０】
複数の光源のうち少なくとも一つの光源の間欠点灯を走査信号に同期させるようにすることを特徴とする請求項７から請求９項のいずれか１項に記載の液晶表示装置の光源点灯制御方法。
【発明の詳細な説明】
【０００１】
【発明の属する技術分野】
この発明は、液晶表示パネルの輝度調整を光源の点灯および消灯の時間比によって行う液晶表示装置及びその光源点灯制御方法に関するものである。
【０００２】
【従来の技術】
図７に、従来の液晶表示装置の構成図を示す。図７において１０５は液晶表示装置、１０１は液晶表示パネルである。１００は液晶表示パネル１０１の裏側（即ち、視点１０８の反対側）に配置されたバックライト（複数の光源）であり、例えば３つの光源、光源１００ａ、光源１００ｂ、光源１００ｃから構成されている。１１２はバックライト（複数の光源）１００のオン／オフを制御する光源制御部であり、光源１００ａ、光源１００ｂ、光源１００ｃに共通の制御信号を送出することにより、それぞれの光源が同時にオン／オフするように制御している。１１３は液晶表示パネル１０１の輝度を設定する液晶表示パネル輝度設定手段であり、光源制御部１１２は液晶表示パネル輝度設定手段１１３の設定値に応じてバックライト（複数の光源）１００を制御する。
【０００３】
また、液晶表示パネル１０１は、透明基板１０２と、透明基板１０２上に形成された透明電極１０９と、透明基板１０３と、透明基板１０３上に形成された透明電極１１０と、透明電極１１０をオン／オフするためのスイッチング素子が形成されたスイッチング素子形成膜１１１とから構成されており、スイッチング素子は液晶表示パネル制御部１０７から送出された画像信号及び／又は走査信号によって制御されている。
【０００４】
さらにまた、２枚の透明基板１０２、１０３の間には液晶１０４が注入されており、この２枚の透明基板間に電圧を加えることにより液晶１０４の透過率を変化させることによって、バックライト（複数の光源）１００が発した光量１０６をコントロールできるようになっている。なお、ここではバックライト（複数の光源）１００が３個の光源からなる例を示したが、特段定まっておらず、いくつであってもよい。
【０００５】
図８は、図７の液晶表示装置１０５の回路構成を説明した概略回路構成図である。図８において、１２０は平行する複数の走査信号線であり、それに直交するように複数の画像信号線１２１が配設されている。また、１１５は透明画素電極、１１６は透明対向電極であり、透明画素電極１１５と透明対向電極１１６の間に液晶１０４を封入することにより液晶セルを形成している。１１７はソース電極、１１８はゲート電極、１１９はドレイン電極であり、ＴＦＴトランジスタ（即ち、スイッチング素子）を形成している。なお、１１４が一画素に相当し、１０１が液晶表示パネルである。また、透明画素電極１１５は図７の１１０に、透明対向電極１１６は図７の１０９に相当している。
【０００６】
また、１２４は走査信号線１２０に走査信号を送出しゲート電極１１８の電圧を制御するゲート線ドライバ、１２５は画像信号線１２１に画像信号を送出する画像信号線ドライバ、１２３は画像信号線ドライバに所定の処理を施した信号を送出する信号処理回路、１２２はゲート線ドライバ１２４及び画像信号線ドライバ１２５及び信号処理回路１２３のタイミングを制御するタイミング制御回路である。なお、１０７が液晶表示パネル制御部である。
【０００７】
さらにまた、１００、１１２、１１３は図７で既に説明したように、それぞれ、バックライト（複数の光源）、光源制御部、液晶表示パネル輝度設定手段であり、光源制御部１１２は液晶表示パネル制御部１０７及び液晶表示パネル１０１とは独立的に動作している。
【０００８】
従来の液晶表示装置は以上のような構成をしているが、液晶は非発光であるため、上述したように液晶表示パネルの裏側には照明用の光源が配設されている。一般にこのような液晶表示装置においては、光源の点灯電流を一定とし、点灯および消灯を繰り返すようにしており（即ち、間欠点灯）、その時間比を変えることによって液晶表示パネルの輝度調整を行っている。これは、一般に光源は放電現象を利用した非線形素子のため、光源に流す電流量と液晶表示パネルの輝度が比例せず、液晶表示パネルの輝度調整のための電流値の選択が困難だからである。
【０００９】
図９は、このような点灯／消灯を繰り返すこと（即ち、間欠点灯）によって液晶表示パネルの輝度調整を行う液晶表示装置における従来のバックライト（複数の光源）の点灯／消灯の様子を示したものである。図９（ａ）は液晶表示パネル（例えば、図７の１０１）に所望の輝度が必要な場合における点灯／消灯を示した図である。
【００１０】
図９（ａ）において１２６ａの斜線部は図７の光源１００ａが発する光量、１２７ａの斜線部は図７の光源１００ｂが発する光量、１２８ａの斜線部は図７の光源１００ｃが発する光量、１２９ａの斜線部は図７の光源１００ａ、１００ｂ、１００ｃが発する光量の和、即ち１２６ａ、１２７ａ、１２８ａの斜線部の和である。なお、１２６ａ、１２７ａ、１２８ａ、１２９ａにおける横方向は時間、縦方向は光度（光の強さ）である。また、Ｔは各々の光源共通の点灯周期であり、ｔ９ａは図９（ａ）の各々の光源の点灯時間である。さらにまた、Ｋ９ａは光量１２９ａ斜線部を全時間（バックライトの点灯時間＋バックライトの消灯時間）で除した時間平均値（即ち、平均光度）である。ところで、これに液晶表示パネルの光伝送損失等を考慮した光透過率（以下、パネル透過率と称す）を乗じた値（即ち、平均光度×パネル透過率）が、図9（ａ）のような点灯によって得られる液晶表示パネルの実質的な輝度に相当する。
【００１１】
ただし、ここでの光度とは光の放射強度（光の強さ）のことであり、光量とは光の放射エネルギー（即ち、光の強さ×点灯時間）のことである。また、液晶表示装置においては、バックライト（複数の光源）の発する光量（例えば、図９の１２９ａの斜線部分）の時間平均値にパネル透過率を乗じた値が液晶表示パネルの輝度に相当し、このような光量を増減させることにより輝度調整を行っている。即ち、図９（ａ）のＨ９がバックライト（複数の光源）の発する光の光度（光の強さ）であり、図９（ａ）のＫ９ａが光量１２９ａの斜線部を時間平均した値、すなわちこれにパネル透過率を乗じた値が液晶表示パネルの輝度に相当する。なお図９（ａ）においては、Ｈ９はバックライト（複数の光源）の発する光度（光の強さ）であると同時に、バックライト（複数の光源）が発する光度（光の強さ）の変動の幅である。
【００１２】
図９（ｂ）は液晶表示パネルの輝度を図９（ａ）より減少させた場合のバックライト（複数の光源）の点灯／消灯の様子を示した図である。なお、ここでの図９（ｂ）の横方向、縦方向及びスケールは図９（ａ）と同じである。
即ち図９（ｂ）において、１２６ｂの斜線部は図７の光源１００ａが発する光量、１２７ｂの斜線部は図７の光源１００ｂが発する光量、１２８ｂの斜線部は図７の光源１００ｃが発する光量、１２９ｂの斜線部は図７の光源１００ａ、１００ｂ、１００ｃが発する光量の和である。また、ｔ９ｂは、図９（ｂ）の光源各々の点灯時間、Ｈ９は図９（ｂ）におけるバックライト（複数の光源）が発する光度（光の強さ）の変動の幅であり、この場合、図９（ａ）のＨ９と同じである。また、Ｋ９ｂは光量１２９ｂの斜線部を時間平均した値、すなわちこれにパネル透過率を乗じた値が液晶表示パネルの輝度に相当する。
【００１３】
図９のように、図９（ｂ）の光源点灯時間ｔ９ｂを図９（ａ）の光源の点灯時間ｔ９ａより短くすることにより、１２９ｂの斜線部を１２９ａの斜線部より少なくすることができ（即ち、光源１００ａ、１００ｂ、１００ｃが発する光量の和の減少）、よって液晶表示パネルの輝度を図９（ａ）のＫ９ａから図９（ｂ）のＫ９ｂの比率で減らすことができる。
【００１４】
また、同様に点灯時間を長くし、液晶表示パネルの輝度を増やすことができる。
【００１５】
このように、一般的に複数の光源を間欠点灯させる際、すべての光源を同時に点灯／消灯するように制御するとともに、それらの点灯時間を一律に減少／増大させることによって液晶表示パネルの輝度調節を行っている。
なお、光源の点灯周波数を２０ｋＨｚ以上の高い周波数に設定することによって、ちらつきが視認され難いようになっている。
【００１６】
以上のように、すべての光源を同時かつ高周波で間欠点灯させ、点灯時間を同じにするとともに、それら点灯時間を一律に増大／減少させることによって液晶表示パネルの輝度調整を行っており、これにより光源における電流量と液晶表示パネル輝度との非線形的な（比例的でない）関係に左右されることなく、任意の輝度が容易に実現出来る。
【００１７】
【発明が解決しようとする課題】
しかしながら、点灯周波数を２０ｋＨｚ以上の高周波数にすれば視認され難いとは言え、上述したような同時点灯かつ一律的な点灯時間制御を行った際には、バックライト（複数の光源）が発する光度（光の強さ）の変動（例えば図９のＨ９）が大きいために、依然ちらつきが感じられるという問題があった。
【００１８】
また、それぞれ単体としては視認し難いような高周波数に点灯周波数を設定したとしても、複数の液晶表示装置を並べた場合には干渉が発生するため、装置間の点灯周波数の差が、新たな低周波数成分の点灯として、ちらつきに感じられてしまう。そして、そのような液晶表示装置間の干渉においても上述したようなバックライト（複数の光源）が発する光度（光の強さ）の変動（例えば図９のＨ９）が大きいために、近接した装置間における走査とバックライト点灯との干渉が大きくなり、画面のちらつきが目立ちやすくなるという問題があった。
【００１９】
また、なるべく簡単な回路構成、低コストで、上述したような画面のちらつきを低減したいという問題があった。
【００２０】
また、液晶表示装置のバックライト（複数の光源）に用いられる光源各々の使用時間を均一化することによって、光源各々の交換時期を等しくし、交換作業を一括して行えるようにしたいという問題があった。
【００２１】
さらにまた、部屋の中には室内照明用の蛍光灯等さまざまな周波数の光が存在し、それらさまざまな周波数の光とバックライト（複数の光源）との干渉によって、画面のちらつきが目立ちやすくなるという問題があった。
【００２２】
この発明は、上記のような課題を解決するためになされたものであり、液晶表示装置単体としての画面のちらつきを抑えるとともに、近接した液晶表示装置間の干渉による画面のちらつきを抑えることができる液晶表示装置及びその光源点灯制御方法を得ることを目的とする。
【００２３】
また、この発明は、比較的簡単、低コストで、液晶表示装置単体としての画面のちらつきを抑えるとともに、近接した液晶表示装置間の干渉による画面のちらつきを抑えることができる液晶表示装置及びその光源点灯制御方法を得ることを目的とする。
【００２４】
また、この発明は、液晶表示装置単体としての画面のちらつきを抑えるとともに、近接した液晶表示装置間の干渉による画面のちらつきを抑えることができ、さらに液晶表示装置のバックライト（複数の光源）の光源各々の交換時期を等しくし、交換作業を一括して行えるようにすることができる液晶表示装置及びその光源点灯制御方法を得ることを目的とする。
【００２５】
さらにまた、さまざまな周波数の光とバックライト（複数の光源）との干渉による画面のちらつきを抑えることができる液晶表示装置及びその光源点灯制御方法を得ることを目的とする。
【００２６】
【課題を解決するための手段】
この発明に係る液晶表示装置においては、液晶表示パネルと、前記液晶表示パネルに走査信号を送出する液晶表示パネル制御部と、前記液晶表示パネルの裏側に配置された複数の光源と、この複数の光源の点灯期間を制御して、前記複数の光源の光量の和の時間平均値を増減させる光源制御部とを備えた液晶表示装置であって、前記光源制御部は、それぞれ独立して前記複数の光源を点灯制御し、前記複数の光源のうちの少なくとも一つを間欠点灯させ、かつ、前記複数の光源のうちの少なくとも二つの光源を所定の期間だけ同時に点灯させ、かつ、前記複数の光源のいずれもが点灯しない期間が存在しないように構成したものである。
【００２７】
また、この発明に係る液晶表示装置の光源制御部は、複数の光源のうちの少なくとも一つの光源を連続点灯させるとともに、残る光源のうちの少なくとも一つの光源を点灯期間が所定の期間となるように間欠点灯させるように構成したものである。
【００２８】
また、この発明に係る液晶表示装置の光源制御部は、複数の光源の点灯時間を略同一とし、かつ、前記複数の光源を各々異なったタイミングで間欠点灯させ、かつ、前記複数の光源のうちの少なくとも二つの光源を所定の期間だけ同時に点灯させ、かつ、前記複数の光源のいずれもが点灯しない期間が存在しないように構成したものである。
【００２９】
また、この発明に係る液晶表示装置の光源制御部は、複数の光源のうちの少なくとも一つの光源を点灯時間が周期的に変化するよう間欠点灯させ、かつ、前記複数の光源のうちの少なくとも二つの光源を所定の期間だけ同時に点灯させ、かつ、前記複数の光源のいずれもが点灯しない期間が存在しないように構成したものである。
【００３０】
また、この発明に係る液晶表示装置の光源制御部は、複数の光源のうちの少なくとも二つの光源を間欠点灯させるとともに、該間欠点灯する少なくとも二つの光源の点灯周期をそれぞれ異ならせ、かつ、前記複数の光源のうちの少なくとも二つの光源を所定の期間だけ同時に点灯させ、かつ、前記複数の光源のいずれもが点灯しない期間が存在しないように構成したものである。
【００３１】
また、この発明に係る液晶表示装置においては、複数の光源のうちの少なくとも一つの光源の間欠点灯を走査信号に同期させたものである。
【００３２】
また、この発明に係る液晶表示装置の光源点灯制御方法においては、液晶表示パネルと、前記液晶表示パネルに走査信号を送出する液晶表示パネル制御部と、前記液晶表示パネルの裏側に配置された光度が等しい複数の光源と、該複数の光源の点灯期間を制御して、前記複数の光源の光量の和の時間平均値を増減させる光源制御部とを備えた液晶表示装置の光源点灯制御方法であって、前記光源制御部は、それぞれ独立して前記複数の光源を点灯制御し、前記複数の光源のうちの少なくとも一つを間欠点灯させ、かつ、前記複数の光源のうちの少なくとも二つの光源を所定の期間だけ同時に点灯させ、かつ、前記複数の光源のいずれもが点灯しない期間が存在しないようにするものである。
【００３３】
また、この発明に係る液晶表示装置の光源点灯制御方法においては、複数の光源のうちの少なくとも一つの光源を連続点灯させるとともに、残る光源のうちの少なくとも一つの光源を点灯期間が所定の期間となるように間欠点灯させるようにするものである。
【００３４】
また、この発明に係る液晶表示装置の光源点灯制御方法においては、複数の光源のうち少なくとも一つの光源の間欠点灯を走査信号に同期させるようにするものである。
【００３５】
【発明の実施の形態】
実施の形態１．
【００３６】
図１に、本発明の実施の形態１による液晶表示装置の構成図を示す。尚、図において、従来と同一符号は従来のものと同一あるいは相当のものを表す。
図１において、１０５は液晶表示装置、１０１は液晶表示パネルである。１００は液晶表示パネルの裏側に配置されたバックライト（複数の光源）であり、例えば３つの複数光源、光源１００ａ、光源１００ｂ、光源１００ｃから構成されている。２１はバックライト（複数の光源）１００のオン／オフを制御する光源制御部であり、光源１００ａ、光源１００ｂ、光源１００ｃの点灯時間及び点灯タイミング及び点灯周期を各々独立に制御するとともに、液晶表示パネル制御部２２から送出されるタイミング信号に応じた制御を行う。２２は液晶表示パネル制御部であり、液晶表示パネル１０１に画像信号及び／又は走査信号を送出するとともに、光源制御部２１にタイミング信号を送出している。
なお、ここではバックライト（複数の光源）１００が３個の光源からなる例を示したが、特段定まっておらず、いくつであってもよい。
【００３７】
図２は、図１の本発明の実施の形態の液晶表示装置１０５の回路構成を説明した概略回路構成図である。尚、図において、従来と同一符号は従来のものと同一あるいは相当のものを表す。
図２において、１０１は液晶表示パネルであり、従来の液晶パネルと同じである。２２は液晶表示パネル制御部であり、走査信号線１２０に走査信号を送出しゲート電極１１８の電圧を制御するゲート線ドライバ１２４、画像信号線１２１に画像信号を送出する画像信号線ドライバ１２５、画像信号線ドライバに所定の処理を施した信号を送出する信号処理回路１２３、ゲート線ドライバ１２４及び画像信号線ドライバ１２５及び信号処理回路１２３のタイミングを制御するとともに光源制御部２１にタイミング信号を送出するタイミング制御回路２３を備えている。
また、１００、２１、１１３は図１で既に説明したように、それぞれ、バックライト（複数の光源）、光源制御部、液晶表示パネル輝度設定手段であり、光源制御部２１は光源１００ａ、光源１００ｂ、光源１００ｃの点灯時間及び点灯タイミング及び点灯周期を各々独立に制御するとともに、タイミング制御回路２３から送出されるタイミング信号に応じた制御を行う。
【００３８】
なお、後述するような、バックライト（複数の光源）の点灯を走査信号若しくは画像信号又はそのいずれかに同期した信号に同期させることを行わない場合には、光源制御部２１は光源１００ａ、光源１００ｂ、光源１００ｃの点灯時間及び点灯周期を各々独立に制御するのみでもよく、また、タイミング制御回路２３及び／又は液晶表示パネル制御部２２が、従来のままであってもよい。
【００３９】
図３は本発明の実施の形態１による液晶表示装置における液晶表示パネルの輝度調整を行う際のバックライト（複数の光源）の点灯／消灯の様子を示したものである。但し、説明の簡単化のため、ここでは二つの光源だけを点灯させているが、もちろんそれ以上であってもよい。
図３（ａ）は液晶表示パネルに所望の輝度が必要な場合の、バックライト（複数の光源）の点灯／消灯の様子を示した図である。
図３（ａ）において１ａは走査信号若しくは画像信号又は少なくともそのいずれかに同期した信号（以下、走査同期信号と称す）、２ａの斜線部は図１の光源１００ａが発する光量、３ａの斜線部は図１の光源１００ｂが発する光量、４ａの斜線部は図１の光源１００ｃが発する光量（即ち、ここでは消灯）、５ａの斜線部は図１の光源１００ａ、１００ｂ、１００ｃが発する光量の和、即ち２ａ、３ａ、４ａの斜線部の和である。なお、１ａにおいて横方向は時間、縦方向は信号量であり、２ａ、３ａ、４ａ、５ａにおける横方向は時間、縦方向は光度（光の強さ）である。また、ｔ３ａは、図１の光源１００ａの点灯時間、Ｈ３は図３（ａ）におけるバックライト（複数の光源）が発する光度（光の強さ）の変動の幅である。さらにまた、Ｋ３ａは光量５ａの斜線部を時間平均した値、すなわち、これにパネル透過率を乗じた値が図３（ａ）における液晶表示パネルの輝度に相当するものである。なおここでは、図３（ａ）のＫ３ａと図９（ａ）のＫ９ａとは同じ値である。
【００４０】
図３（ｂ）は液晶表示パネルの輝度を減少させた場合のバックライト（複数の光源）の点灯／消灯の様子を示した図である。なお、ここでの図３（ｂ）の横方向、縦方向及びスケールは図３（ａ）と同じである。
即ち、図３（ｂ）において、１ｂは走査同期信号、２ｂの斜線部は図１の光源１００ａが発する光量、３ｂの斜線部は図１の光源１００ｂが発する光量、４ｂの斜線部は図１の光源１００ｃが発する光量（即ち、ここでは消灯）、５ｂの斜線部は図１の光源１００ａ、１００ｂ、１００ｃが発する光量の和であり、１ｂにおける横方向は時間、縦方向は信号量、２ｂ、３ｂ、４ｂ、５ｂにおける横方向は時間、縦方向は光度（光の強さ）である。また、ｔ３ｂは図１の光源１００ａの点灯時間、Ｈ３は図３（ｂ）におけるバックライト（複数の光源）が発する光度（光の強さ）の変動の幅であり、ここでは図３（ａ）のＨ３と同じである。さらにまた、Ｋ３ｂは光量５ｂの斜線部を時間平均した値、すなわち、これにパネル透過率を乗じた値が図３（ｂ）における液晶表示パネルの輝度に相当するものである。
【００４１】
このように、光源各々の点灯時間及び点灯タイミング及び点灯周期を各々独立的に制御することにより、図１の光源１００ｂが連続点灯するとともに光源１００ａが間欠点灯するようにしたので、バックライト（複数の光源）が発する光度の時間的変動が少なくなっている。即ち、バックライトを構成する複数の光源各々が発する光度（光の強さ）の和の時間的変動が少なくなっている。例えば、従来の例図９（ａ）の輝度に相当するＫ９ａと本発明図３（ａ）の輝度に相当するＫ３ａとは同じ値を得ているにもかかわらず、図９（ａ）Ｈ９に比べ図３（ａ）Ｈ３は変動が少なくなっている。即ち、液晶表示パネルの輝度は同一であるにもかかわらず、バックライトの光度の変動は少なくなっている。
また、液晶表示パネルの輝度を減少させた場合においても、図３（ｂ）のように光源各々を独立に制御し、２ａと３ａにおいて同時に点灯している時間を制御することにより、５ａにおける光度の変動Ｈ３にあまり影響を与えずにＫ３ｂを減らすことができ、輝度減少を達成している。
【００４２】
なおここでは必要な光量が減少した場合を示したが、増加した場合にも同様に行うことができる。またバックライト（複数の光源）１００が３個の光源からなる例を示したが、特段定まっておらず、いくつであってもよい。また、ここでは図３（ａ）Ｈ３と図３（ｂ）Ｈ３は等しいが、条件によっては等しくない場合も有り得る。さらにまた、ここでは説明の簡単化のため全ての光源の発する光度（光の強さ）を等しくしているが、それぞれ違っていてもよい。
【００４３】
以上のように、複数の光源各々が発する光度の和の時間的変動を少なくしたので、装置単体としての画面のちらつきが抑えられる。従って、近接した装置間における干渉による画面のちらつきも抑えられる。
【００４４】
また、図３（ａ）及び図３（ｂ）のように、複数の光源のうち少なくとも一つは点灯し、光源１００ａ、１００ｂ、１００ｃの発する光度の和（例えば、図３の５ａの縦方向）が零にならないようにした状態では、人の目に感じられるちらつきを抑える効果が大きい。なぜなら人間の目は、光の有無の変動には敏感であるが、光の大小の変動に対してはさほどでもないという性質があるからである。同様の理由により、近接した装置間における干渉による画面のちらつきも抑えられる。
【００４５】
また、図３（ａ）及び図３（ｂ）のように、複数の光源のうちの少なくとも一つの光源を連続点灯させるという制御は、複雑な制御を必要とせず、比較的簡単かつ低コストで実現できる。
【００４６】
さらにまた、図３（ａ）及び図３（ｂ）のように、複数の光源のうち少なくとも一つを、走査同期信号（例えば図３の１ａ、１ｂ）に同期させることによって、バックライト（複数の光源）の点灯と走査等との干渉がおきにくくなり、画面のちらつきを抑える効果がさらに大きい。
【００４７】
実施の形態２．
図４は本発明の実施の形態２による液晶表示装置における液晶表示パネルの輝度調整を行う際のバックライト（複数の光源）の点灯／消灯の様子を示したものである。なお、液晶表示装置の構成は本発明の実施の形態１と同じであるので省略する。
図４（ａ）は液晶表示パネルに所望の輝度が必要な場合の、バックライト（複数の光源）の点灯／消灯の様子を示した図である。
図４（ａ）において６ａは走査同期信号、７ａの斜線部は図１の光源１００ａが発する光量、８ａの斜線部は図１の光源１００ｂが発する光量、９ａの斜線部は図１の光源１００ｃが発する光量、１０ａの斜線部は図１の光源１００ａ、１００ｂ、１００ｃが発する光量の和、即ち７ａ、８ａ、９ａの斜線部の和である。なお、６ａにおいて横方向は時間、縦方向は信号量であり、７ａ、８ａ、９ａ、１０ａにおける横方向は時間、縦方向は光度（光の強さ）である。また、ｔ４ａは、各々の光源の点灯時間であり、Ｈ４は図４（ａ）におけるバックライト（複数の光源）が発する光度（光の強さ）の変動の幅である。さらにまた、Ｋ４ａは光量１０ａの斜線部を時間平均した値、すなわちこれにパネル透過率を乗じた値が図４（ａ）における液晶表示パネルの輝度に相当するものである。
【００４８】
図４（ｂ）は液晶表示パネルの輝度を減少させた場合のバックライト（複数の光源）の点灯／消灯の様子を示した図である。なお、ここでの図４（ｂ）の横方向、縦方向及びスケールは図４（ａ）と同じである。
即ち、図４（ｂ）において、６ｂは走査同期信号、７ｂの斜線部は図１の光源１００ａが発する光量、８ｂの斜線部は図１の光源１００ｂが発する光量、９ｂの斜線部は図１の光源１００ｃが発する光量、１０ｂの斜線部は図１の光源１００ａ、１００ｂ、１００ｃが発する光量の和であり、６ｂにおける横方向は時間、縦方向は信号量、７ｂ、８ｂ、９ｂ、１０ｂにおける横方向は時間、縦方向は光度（光の強さ）である。また、ｔ４ｂは各々の光源の点灯時間、Ｈ４は図４（ｂ）におけるバックライト（複数の光源）が発する光度（光の強さ）の変動の幅であり、ここでは図４（ａ）のＨ４と同じである。さらにまた、Ｋ４ｂは光量１０ｂの斜線部を時間平均した値、すなわちこれにパネル透過率を乗じた値が図４（ｂ）における液晶表示パネルの輝度に相当するものである。
なおここでは、図１の光源１００ａの点灯（即ち、７ａ、７ｂ）は走査同期信号（即ち、６ａ、６ｂ）に、図１の光源１００ｂの点灯（即ち、８ａ、８ｂ）は走査同期信号の１／３周期遅れに、光源１００ｃの点灯（即ち、９ａ、９ｂ）は走査同期信号の２／３周期遅れになっている。
【００４９】
このように、光源各々の点灯時間及び点灯タイミングを各々独立的に制御することにより、各々の光源が点灯時期を重畳しながら間欠点灯するようにしたので、バックライト（複数の光源）が発する光度の時間的変動が少なくなっている。即ち、バックライトを構成する複数の光源各々が発する光度（光の強さ）の和の時間的変動が少なくなっている（例えば、図４（ａ）のＨ４）。
また、液晶表示パネルの輝度を減少させた場合においても、図４（ｂ）のように光源各々を独立に制御し、各々の光源が重畳して点灯している時間を制御することにより、１０ａにおける光度の変動Ｈ４にあまり影響を与えずにＫ４ｂを減らすことができ、輝度減少を達成している。
【００５０】
なおここでは必要な光量が減少した場合を示したが、増加した場合においても同様に行うことができる。またバックライト（複数の光源）１００が３個の光源からなる例を示したが、特段定まっておらず、いくつであってもよい。また、ここでは図４（ａ）Ｈ４と図４（ｂ）Ｈ４は等しいが、条件によっては等しくない場合も有り得る。さらにまた、ここでは説明の簡単化のため全ての光源の発する光度（光の強さ）を等しくしているが、それぞれ違っていてもよい。
【００５１】
以上のように、複数の光源各々が発する光度の和の時間的変動を少なくしたので、装置単体としての画面のちらつきが抑えられる。従って、近接した装置間における干渉による画面のちらつきも抑えられる。
【００５２】
また、図４（ａ）及び図４（ｂ）のように、複数の光源のうち少なくとも一つは点灯し、光源１００ａ、１００ｂ、１００ｃの発する光度の和（例えば、図４の１０ａの縦方向）が零にならないようにした状態では、人の目に感じられるちらつきを抑える効果が大きい。なぜなら人間の目は、光の有無の変動には敏感であるが、光の大小の変動に対してはさほどでもないという性質があるからである。同様の理由により、近接した装置間における干渉による画面のちらつきも抑えられる。
【００５３】
また、図４（ａ）及び図４（ｂ）のように、複数の光源のうち少なくとも一つを、走査同期信号（例えば図４の６ａ、６ｂ）に同期させることによって、バックライト（複数の光源）の点灯と走査等との干渉がおきにくくなり、画面のちらつきを抑える効果がさらに大きい。
【００５４】
さらにまた、図４（ａ）及び図４（ｂ）のように、複数の光源各々の点灯時間を等しくした（例えば、図４（ａ）のｔ４ａ）場合には、液晶表示装置のバックライト（複数の光源）の光源各々の使用時間を均一化できるので、光源各々の交換時期が近くなり、交換作業を一括して行えるようなる。よって、光源の交換作業を一括化（即ち、簡単化）できる。
【００５５】
実施の形態３．
図５は本発明の実施の形態３による液晶表示装置における液晶表示パネルの輝度調整を行う際のバックライト（複数の光源）の点灯／消灯の様子を示したものである。なお、液晶表示装置の構成は本発明の実施の形態１と同じであるので省略する。
図５（ａ）は液晶表示パネルに所望の輝度が必要な場合の、バックライト（複数の光源）の点灯／消灯の様子を示した図である。
図５（ａ）において１１ａは走査同期信号、１２ａの斜線部は図１の光源１００ａが発する光量、１３ａの斜線部は図１の光源１００ｂが発する光量、１４ａの斜線部は図１の光源１００ｃが発する光量、１５ａの斜線部は図１の光源１００ａ、１００ｂ、１００ｃが発する光量の和、即ち１２ａ、１３ａ、１４ａの斜線部の和である。なお、１１ａにおいて横方向は時間、縦方向は信号量であり、１２ａ、１３ａ、１４ａ、１５ａにおける横方向は時間、縦方向は光度（光の強さ）である。またｔ５ａ、ｔ５ｂは各々の光源の点灯時間であり、Ｈ５は図５（ａ）におけるバックライト（複数の光源）が発する光度（光の強さ）の変動の幅である。さらにまた、Ｋ５ａは光量１５ａの斜線部を時間平均した値、すなわちこれにパネル透過率を乗じた値が図５（ａ）における液晶表示パネルの輝度に相当するものである。
【００５６】
図５（ｂ）は液晶表示パネルの輝度を減少させた場合のバックライト（複数の光源）の点灯／消灯の様子を示した図である。なお、ここでの図５（ｂ）の横方向、縦方向及びスケールは図５（ａ）と同じである。
即ち、図５（ｂ）において、１１ｂは走査同期信号、１２ｂの斜線部は図１の光源１００ａが発する光量、１３ｂの斜線部は図１の光源１００ｂが発する光量、１４ｂの斜線部は図１の光源１００ｃが発する光量、１５ｂの斜線部は図１の光源１００ａ、１００ｂ、１００ｃが発する光量の和であり、１１ｂにおける横方向は時間、縦方向は信号量、１２ｂ、１３ｂ、１４ｂ、１５ｂにおける横方向は時間、縦方向は光度（光の強さ）である。また、ｔ５ｃ、ｔ５ｄは各々の光源の点灯時間、Ｈ５は図５（ｂ）におけるバックライト（複数の光源）が発する光度（光の強さ）の変動の幅であり、ここでは図５（ａ）のＨ５と同じである。さらにまた、Ｋ５ｂは光量１５ｂの斜線部を時間平均した値、すなわちこれにパネル透過率を乗じた値が図５（ｂ）における液晶表示パネルの輝度に相当するものである。
【００５７】
このように、光源各々の点灯時間及び点灯タイミング及び点灯周期を各々独立的に制御することにより、同一の光源においても点灯時間を可変的に制御するとともに、各々の点灯時期が重畳するように間欠点灯したので、バックライト（複数の光源）が発する光度の時間的変動が少なくなっている。即ち、バックライトを構成する複数の光源各々が発する光度（光の強さ）の和の時間的変動が少なくなっている（例えば、図５（ａ）のＨ５）。
また、液晶表示パネルの輝度を減少させた場合においても、図５（ｂ）のように光源各々を独立に制御し、各々の光源が重畳して点灯している時間を制御することにより、１５ａにおける光度の変動Ｈ５にあまり影響を与えずにＫ５ｂを減らすことができ、輝度減少を達成している。
【００５８】
なおここでは必要な光量が減少した場合を示したが、増加した場合にも同様に行うことができる。またバックライト（複数の光源）１００が３個の光源からなる例を示したが、特段定まっておらず、いくつであってもよい。また、ここでは図５（ａ）Ｈ５と図５（ｂ）Ｈ５は等しいが、条件によっては等しくない場合も有り得る。さらにまた、ここでは説明の簡単化のため全ての光源の発する光度（光の強さ）を等しくしているが、それぞれ違っていてもよい。
【００５９】
以上のように、複数の光源各々が発する光度の和の時間的変動を少なくしたので、装置単体としての画面のちらつきが抑えられる。従って、近接した装置間における干渉による画面のちらつきも抑えられる。
【００６０】
また、図５（ａ）及び図５（ｂ）のように、複数の光源のうち少なくとも一つは点灯し、光源１００ａ、１００ｂ、１００ｃの発する光度の和（例えば、図５の１５ａの縦方向）が零にならないようにした状態では、人の目に感じられるちらつきを抑える効果が大きい。なぜなら人間の目は、光の有無の変動には敏感であるが、光の大小の変動に対してはさほどでもないという性質があるからである。同様の理由により、近接した装置間における干渉による画面のちらつきも抑えられる。
【００６１】
また、図５（ａ）及び図５（ｂ）のように、複数の光源のうち少なくとも一つを、走査同期信号（例えば図５の１１ａ、１１ｂ）に同期させることによって、バックライト（複数の光源）の点灯と走査等との干渉がおきにくくなり、画面のちらつきを抑える効果がさらに大きい。
【００６２】
さらにまた、図５（ａ）及び図５（ｂ）のように、同一の光源における点灯時間を可変的に制御することによって、単独の周波数成分に干渉が偏らず、複数の周波数成分に干渉が分散されるので、画面のちらつきを目立ちにくくすることができる。例えば、室内照明用の蛍光灯等のようなさまざまな周波数成分をもつ光とバックライト（複数の光源）との干渉による画面のちらつきが目立ちにくくなる。
【００６３】
実施の形態４．
図６は本発明の実施の形態４による液晶表示装置における液晶表示パネルの輝度調整を行う際のバックライト（複数の光源）の点灯／消灯の様子を示したものである。なお、液晶表示装置の構成は本発明の実施の形態１と同じであるので省略する。
図６（ａ）は液晶表示パネルに所望の輝度が必要な場合の、バックライト（複数の光源）の点灯／消灯の様子を示した図である。
図６（ａ）において１６ａは走査同期信号、１７ａの斜線部は図１の光源１００ａが発する光量、１８ａの斜線部は図１の光源１００ｂが発する光量、１９ａの斜線部は図１の光源１００ｃが発する光量、２０ａの斜線部は図１の光源１００ａ、１００ｂ、１００ｃが発する光量の和、即ち１７ａ、１８ａ、１９ａの斜線部の和である。なお、１６ａにおいて横方向は時間、縦方向は信号量であり、１７ａ、１８ａ、１９ａ、２０ａにおける横方向は時間、縦方向は光度（光の強さ）である。またｔ６ａ、ｔ６ｂ、ｔ６ｃは各々の光源の点灯時間であり、Ｈ６は図６（ａ）におけるバックライト（複数の光源）が発する光度（光の強さ）の変動の幅である。さらにまた、Ｋ６ａは光量２０ａの斜線部を時間平均した値、すなわちこれにパネル透過率を乗じた値が図６（ａ）における液晶表示パネルの輝度に相当するものである。
なおここでは、図１の光源１００ａ（即ち、１７ａ、１７ｂ）及び光源１００ｃ（即ち、１９ａ、１９ｂ）の点灯は、光源１００ｂの点灯周期ｔ６ｇの約２倍になっている。
【００６４】
図６（ｂ）は液晶表示パネルの輝度を増加させた場合のバックライト（複数の光源）の点灯／消灯の様子を示した図である。なお、ここでの図６（ｂ）の横方向、縦方向及びスケールは図６（ａ）と同じである。
即ち、図６（ｂ）において、１６ｂは走査同期信号、１７ｂの斜線部は図１の光源１００ａが発する光量、１８ｂの斜線部は図１の光源１００ｂが発する光量、１９ｂの斜線部は図１の光源１００ｃが発する光量、２０ｂの斜線部は図１の光源１００ａ、１００ｂ、１００ｃが発する光量の和であり、１６ｂにおける横方向は時間、縦方向は信号量、１７ｂ、１８ｂ、１９ｂ、２０ｂにおける横方向は時間、縦方向は光度（光の強さ）である。また、ｔ６ｄ、ｔ６ｅ、ｔ６ｆは各々の光源の点灯時間、Ｈ６は図６（ｂ）におけるバックライト（複数の光源）が発する光度（光の強さ）の変動の幅であり、ここでは図６（ａ）のＨ６と同じである。さらにまた、Ｋ６ｂは光量２０ｂの斜線部を時間平均した値、すなわちこれにパネル透過率を乗じた値が図６（ｂ）における液晶表示パネルの輝度に相当するものである。
【００６５】
このように、光源各々の点灯時間及び点灯タイミング及び点灯周期を各々独立的に制御することにより、いくつかの光源の点灯周期を異ならせるとともに、各々の点灯時期が重畳するように間欠点灯したので、バックライト（複数の光源）が発する光度の時間的変動が少なくなっている。即ち、バックライトを構成する複数の光源各々が発する光度（光の強さ）の和の時間的変動が少なくなっている（例えば、図６（ａ）のＨ６）。
また、液晶表示パネルの輝度を増加させた場合においても、図６（ｂ）のように光源各々を独立に制御し、各々の光源が重畳して点灯している時間を制御することにより、２０ａにおける光度の変動Ｈ６にあまり影響を与えずにＫ６ｂを増加させることができ、輝度増加を達成している。
【００６６】
なおここでは必要な光量が増加した場合を示したが、減少した場合にも同様に行うことができる。またバックライト（複数の光源）１００が３個の光源からなる例を示したが、特段定まっておらず、いくつであってもよい。また、ここでは図６（ａ）Ｈ６と図６（ｂ）Ｈ６は等しいが、条件によっては等しくない場合も有り得る。さらにまた、ここでは説明の簡単化のため全ての光源の発する光度（光の強さ）を等しくしているが、それぞれ違っていてもよい。
【００６７】
以上のように、複数の光源各々が発する光度の和の時間的変動を少なくしたので、装置単体としての画面のちらつきが抑えられる。従って、近接した装置間における干渉による画面のちらつきも抑えられる。
【００６８】
また、図６（ａ）及び図６（ｂ）のように、複数の光源のうち少なくとも一つは点灯し、光源１００ａ、１００ｂ、１００ｃの発する光度の和（例えば、図６の２０ａの縦方向）が零にならないようにした状態では、人の目に感じられるちらつきを抑える効果が特に大きい。なぜなら人間の目は、光の有無の変動には敏感であるが、光の大小の変動に対してはさほどでもないという性質があるからである。同様の理由により、近接した装置間における干渉による画面のちらつきもさらに抑えられる。
【００６９】
また、図６（ａ）及び図６（ｂ）のように、複数の光源のうち少なくとも一つを、走査同期信号（例えば図６の１６ａ、１６ｂ）に同期させることによって、バックライト（複数の光源）の点灯と走査等との干渉がおきにくくなり、画面のちらつきを抑える効果がさらに大きい。
【００７０】
さらにまた、図６（ａ）及び図６（ｂ）のように、いくつかの光源の点灯周期を異ならせることによって、単独の周波数成分に干渉が偏らず、複数の周波数成分に干渉が分散されるので、画面のちらつきを目立ちにくくすることができる。例えば、室内照明用の蛍光灯等のような複数の周波数成分をもつ光とバックライト（複数の光源）との干渉による画面のちらつきが目立ちにくくなる。
【００７１】
【発明の効果】
この発明は、以上説明したように構成されているので、以下に示すような効果を奏する。
【００７２】
この発明に係る液晶表示装置においては、液晶表示パネルと、前記液晶表示パネルに走査信号を送出する液晶表示パネル制御部と、前記液晶表示パネルの裏側に配置された光度が等しい複数の光源と、この複数の光源の点灯期間を制御して、前記複数の光源の光量の和の時間平均値を増減させる光源制御部とを備え、該光源制御部は、それぞれ独立して前記複数の光源を点灯制御し、前記複数の光源のうちの少なくとも一つを間欠点灯させ、かつ、前記複数の光源のうちの少なくとも二つの光源を所定の期間だけ同時に点灯させ、かつ、前記複数の光源のいずれもが点灯しない期間が存在しないように構成したので、装置単体としての画面のちらつきが抑えられ、従って、近接した装置間における干渉による画面のちらつきも抑えられる液晶表示装置を得ることができる。
【００７３】
また、この発明に係る液晶表示装置においては、光源制御部は、複数の光源のうちの少なくとも一つの光源を連続点灯させるとともに、残る光源のうちの少なくとも一つの光源を点灯期間が所定の期間となるように間欠点灯させるように構成したので、装置単体としての画面のちらつきが抑えられ、従って、近接した装置間における干渉による画面のちらつきも抑えられる。また、複数の光源のうちの少なくとも一つの光源を連続点灯させるという制御は、複雑な制御を必要とせず、比較的簡単かつ低コストで実現できる液晶表示装置を得ることができる。
【００７４】
また、この発明に係る液晶表示装置においては、光源制御部は、複数の光源の点灯時間を略同一とし、かつ、前記複数の光源を各々異なったタイミングで間欠点灯させ、かつ、前記複数の光源のうちの少なくとも二つの光源を所定の期間だけ同時に点灯させ、かつ、前記複数の光源のいずれもが点灯しない期間が存在しないように構成したので、装置単体としての画面のちらつきが抑えられ、従って、近接した装置間における干渉による画面のちらつきも抑えられる。また、液晶表示装置のバックライト（複数の光源）に用いられる光源各々の使用時間を均一化することにより、光源を一括して交換しやすくなり、交換作業を軽減することができる液晶表示装置を得ることができる。
【００７５】
また、この発明に係る液晶表示装置においては、光源制御部は、複数の光源のうちの少なくとも一つの光源を点灯時間が周期的に変化するよう間欠点灯させ、かつ、前記複数の光源のうちの少なくとも二つの光源を所定の期間だけ同時に点灯させ、かつ、前記複数の光源のいずれもが点灯しない期間が存在しないように構成したので、装置単体としての画面のちらつきが抑えられ、従って、近接した装置間における干渉による画面のちらつきも抑えられる。また、同一の光源における点灯時間を可変的に制御することによって、単独の周波数成分に干渉が偏らず、複数の周波数成分に干渉が分散されるので、画面のちらつきを目立ちにくくすることができる液晶表示装置を得ることができる。
【００７６】
また、この発明に係る液晶表示装置においては、光源制御部は、複数の光源のうちの少なくとも二つの光源を間欠点灯させるとともに、該間欠点灯する少なくとも二つの光源の点灯周期をそれぞれ異ならせ、かつ、前記複数の光源のうちの少なくとも二つの光源を所定の期間だけ同時に点灯させ、かつ、前記複数の光源のいずれもが点灯しない期間が存在しないように構成したので、装置単体としての画面のちらつきが抑えられ、従って、近接した装置間における干渉による画面のちらつきも抑えられる。また、いくつかの光源の点灯周期を異ならせることによって、単独の周波数成分に干渉が偏らず、複数の周波数成分に干渉が分散されるので、画面のちらつきを目立ちにくくすることができる液晶表示装置を得ることができる。
【００７７】
また、この発明に係る液晶表示装置においては、複数の光源のうち少なくとも一つの光源の間欠点灯を走査信号に同期させたので、バックライト（複数の光源）の点灯と走査等との干渉がおきにくくなり、画面のちらつきを抑える効果がさらに大きい液晶表示装置を得ることができる。
【００７８】
また、この発明に係る液晶表示装置の光源点灯制御方法においては、液晶表示パネルと、前記液晶表示パネルに走査信号を送出する液晶表示パネル制御部と、前記液晶表示パネルの裏側に配置された光度が等しい複数の光源と、該複数の光源の点灯期間を制御して、前記複数の光源の光量の和の時間平均値を増減させる光源制御部とを備えた液晶表示装置の光源点灯制御方法であって、前記光源制御部は、それぞれ独立して前記複数の光源を点灯制御し、前記複数の光源のうちの少なくとも一つを間欠点灯させ、かつ、前記複数の光源のうちの少なくとも二つの光源を所定の期間だけ同時に点灯させ、かつ、前記複数の光源のいずれもが点灯しない期間が存在しないようにしたので、装置単体としての画面のちらつきが抑えられ、従って、近接した装置間における干渉による画面のちらつきも抑えられる液晶表示装置の光源点灯制御方法を得ることができる。
【００７９】
また、この発明に係る液晶表示装置の光源点灯制御方法においては、複数の光源のうちの少なくとも一つの光源を連続点灯させるとともに、残る光源のうちの少なくとも一つの光源を点灯期間が所定の期間となるように間欠点灯させるようにしたので、装置単体としての画面のちらつきが抑えられ、従って、近接した装置間における干渉による画面のちらつきも抑えられる。また、複数の光源のうちの少なくとも一つの光源を連続点灯させるという光源制御方法は、複雑な制御を必要とせず、比較的簡単かつ低コストで実現できる液晶表示装置の光源点灯制御方法を得ることができる。
【００８０】
さらにまた、この発明に係る液晶表示装置の光源点灯制御方法においては、複数の光源のうち少なくとも一つの光源の間欠点灯を走査信号に同期させたので、バックライト（複数の光源）の点灯と走査等との干渉がおきにくくなり、画面のちらつきを抑える効果がさらに大きい液晶表示装置の光源点灯制御方法を得ることができる。
【図面の簡単な説明】
【図１】  本発明の実施の形態１を示す液晶表示装置の構成図である。
【図２】  本発明の実施の形態１を示す液晶表示装置の概略回路構成図である。
【図３】  本発明の実施の形態１を示す液晶表示装置の点灯方式を説明する図である。
【図４】  本発明の実施の形態２を示す液晶表示装置の点灯方式を説明する図である。
【図５】  本発明の実施の形態３を示す液晶表示装置の点灯方式を説明する図である。
【図６】  本発明の実施の形態４を示す液晶表示装置の点灯方式を説明する図である。
【図７】  従来の液晶表示装置の構成図である。
【図８】  従来の液晶表示装置の概略回路構成図である。
【図９】  従来の液晶表示装置の点灯方式を説明する図である。
【符号の説明】
１ａ、１ｂ、６ａ、６ｂ、１１ａ、１１ｂ、１６ａ、１６ｂ  走査信号若しくは画像信号又は少なくともそのいずれかに同期した信号
２ａ、２ｂ、７ａ、７ｂ、１２ａ、１２ｂ、１７ａ、１７ｂ  図１の光源１００ａが発する光量
３ａ、３ｂ、８ａ、８ｂ、１３ａ、１３ｂ、１８ａ、１８ｂ  図１の光源１００ｂが発する光量
４ａ、４ｂ、９ａ、９ｂ、１４ａ、１４ｂ、１９ａ、１９ｂ  図１の光源１００ｃが発する光量
５ａ、５ｂ、１０ａ、１０ｂ、１５ａ、１５ｂ、２０ａ、２０ｂ  図１の光源１００ａと１００ｂと１００ｃが発する光量の和
２１  光源制御部
２２  液晶表示パネル制御部
２３  タイミング制御回路
１００  バックライト（複数の光源）  １００ａ、１００ｂ、１００ｃ  光源
１０１  液晶表示パネル  １０２  透明基板  １０３  透明基板
１０４  液晶  １０５  液晶表示装置  １０６  光量
１０７  液晶表示パネル制御部  １０８  視点  １０９  透明電極
１１０  透明電極  １１１  スイッチング素子形成膜  １１２  光源制御部
１１３  液晶表示パネル輝度設定手段  １１４  一画素  １１５  透明画素電極
１１６  透明対向電極  １１７  ソース電極  １１８  ゲート電極
１１９  ドレイン電極  １２０  走査信号線  １２１  画像信号線
１２２  タイミング制御回路  １２３  信号処理回路
１２４  ゲート線ドライバ  １２５  画像信号線ドライバ
１２６ａ、１２６ｂ  図７の光源１００ａが発する光量
１２７ａ、１２７ｂ  図７の光源１００ｂが発する光量
１２８ａ、１２８ｂ  図７の光源１００ｃが発する光量
１２９ａ、１２９ｂ  図７の光源１００ａと１００ｂと１００ｃが発する光量の和
Ｔ  図７の光源１００ａと１００ｂと１００ｃ各々の共通の点灯周期
ｔ３ａ、ｔ３ｂ、ｔ４ａ、ｔ４ｂ、ｔ５ａ、ｔ５ｂ、ｔ５ｃ、ｔ５ｄ、ｔ６ａ、ｔ６ｂ、ｔ６ｃ、ｔ６ｄ、ｔ６ｅ、ｔ６ｆ、ｔ９ａ、ｔ９ｂ  光源の点灯時間ｔ６ｇ  走査信号若しくは画像信号又は少なくともそのいずれかに同期した信号の一周期
Ｈ３、Ｈ４、Ｈ５、Ｈ６、Ｈ９  バックライトの光度の変動
Ｋ３ａ、Ｋ３ｂ、Ｋ４ａ、Ｋ４ｂ、Ｋ５ａ、Ｋ５ｂ、Ｋ６ａ、Ｋ６ｂ、Ｋ９ａ、Ｋ９ｂ  平均光度
【図１】
0003769916.tif 000002
【図２】
0003769916.tif 000003
【図３】
0003769916.tif 000004
【図４】
0003769916.tif 000005
【図５】
0003769916.tif 000006
【図６】
0003769916.tif 000007
【図７】
0003769916.tif 000008
【図８】
0003769916.tif 000009
【図９】
0003769916.tif 000010